(57)【要約】【課題】プラテンガラス上での原稿の位置ずれを抑制する。【解決手段】画像読取装置は、読取対象の原稿が載置される載置面を有するプラテンガラスと、開閉可能に支持され、開けられているときには載置面を露出させ、閉じられているときには載置面を覆うプラテンカバーと、載置面に対して垂直な方向である上下方向の上方から載置面上に載置された原稿を押え付ける補助押え部材と、プラテンカバーが閉じられるときにプラテンカバーの動きに連動して補助押え部材を上下方向の下方に押圧する押圧機構と、を備える。【選択図】図７
2020010194.tif 000002
【特許請求の範囲】
【請求項１】
読取対象の原稿が載置される載置面を有するプラテンガラスと、
開閉可能に支持され、開けられているときには前記載置面を露出させ、閉じられているときには前記載置面を覆うプラテンカバーと、
前記載置面に対して垂直な方向である上下方向の上方から前記載置面上に載置された原稿を押え付ける補助押え部材と、
前記プラテンカバーが閉じられるときに前記プラテンカバーの動きに連動して前記補助押え部材を前記上下方向の下方に押圧する押圧機構と、を備える画像読取装置。
【請求項２】
前記載置面上の領域外において前記補助押え部材を支持する支持部材を備え、
前記押圧機構は、
前記プラテンカバーが開けられているときには前記載置面よりも前記上下方向の上方に突出し、前記プラテンカバーが閉じられるときに前記プラテンカバーによって前記上下方向の下方に押圧されて前記上下方向の下方に移動する可動部材と、
前記可動部材の前記上下方向の下方に配置され、前記プラテンカバーが閉じられるときに前記可動部材によって前記上下方向の下方に押圧される第１弾性部材と、を備え、
前記支持部材は、前記第１弾性部材の前記上下方向の下方に配置された部分であり前記第１弾性部材から弾性力を受ける部分である受け部を有することを特徴とする請求項１に記載の画像読取装置。
【請求項３】
前記第１弾性部材の前記上下方向の下方に配置される第２弾性部材を備え、
前記受け部は、前記第１弾性部材と前記第２弾性部材とに挟まれることを特徴とする請求項２に記載の画像読取装置。
【請求項４】
前記支持部材は、前記補助押え部材を前記載置面上の領域外において前記上下方向を軸方向とする軸周りに回動可能に支持し、
前記補助押え部材は、前記軸周りに回動することにより、前記載置面上の領域と前記載置面上の領域外とに選択配置されることを特徴とする請求項２または３に記載の画像読取装置。
【請求項５】
前記載置面を囲む枠部を有する筐体を備え、
前記補助押え部材は、前記載置面上の領域外に配置されているとき、前記枠部の前記上下方向の下方に入り込むことを特徴とする請求項４に記載の画像読取装置。
【請求項６】
前記プラテンカバーの開閉を検知するための開閉センサーを備え、
前記可動部材には、前記可動部材と共に前記上下方向に移動する検知片が設けられ、
前記開閉センサーは、前記検知片を検知対象とすることを特徴とする請求項２〜５のいずれか１項に記載の画像読取装置。
【発明の詳細な説明】
【技術分野】
【０００１】
本発明は、プラテンガラス上の原稿を読み取る画像読取装置に関する。
【背景技術】
【０００２】
画像読取装置には、読取対象の原稿が載置されるプラテンガラスが設けられる。また、画像読取装置には、プラテンカバーが開閉可能に設けられる。プラテンカバーは、開けられているときにはプラテンガラスを露出させ、閉じられているときにはプラテンガラスを覆う。
【０００３】
画像読取装置で原稿を読み取るとき、プラテンガラス上に原稿を載置するため、ユーザーはプラテンカバーを開ける。そして、プラテンガラス上への原稿の載置後、ユーザーはプランテンカバーを閉じる。プラテンカバーを閉じることにより、プラテンガラス上の原稿をプラテンカバーで押え付けることができる。
【０００４】
ここで、プラテンカバーを閉じるときにプラテンガラス上の原稿に風圧が加わり、プラテンガラス上の原稿の載置位置が初期位置からずれる場合がある。そこで、従来、プラテンガラス上での原稿の位置ずれを抑制する技術が提案されている（たとえば、特許文献１参照）。
【０００５】
特許文献１の画像読取装置は、プラテンガラス上において主走査方向に移動可能に設置された移動抑制部材および副走査方向に移動可能に設置された移動抑制部材を備える。特許文献１では、プラテンガラス上の原稿の端面に移動抑制部材を当接させた状態で、プラテンカバーを閉じることにより、プラテンガラス上での原稿の位置ずれを抑制することができる。
【先行技術文献】
【特許文献】
【０００６】
【特許文献１】特開２００４−５４１２１号公報
【発明の概要】
【発明が解決しようとする課題】
【０００７】
特許文献１では、プラテンガラス上の原稿の端面に移動抑制部材を当接させているだけであるので、プラテンカバーを閉じるときに発生する風圧による原稿の浮き上がりを抑制することができない。仮に、プラテンガラス上の原稿が移動抑制部材よりも上方に浮き上がってしまうと、移動抑制部材では原稿の移動を抑制することができない。その結果、プラテンガラス上での原稿の位置ずれが発生し得る。
【０００８】
本発明は、上記課題を解決するためになされたものであり、プラテンガラス上での原稿の位置ずれを抑制することが可能な画像読取装置を提供することを目的とする。
【課題を解決するための手段】
【０００９】
上記目的を達成するため、本発明の画像読取装置は、読取対象の原稿が載置される載置面を有するプラテンガラスと、開閉可能に支持され、開けられているときには載置面を露出させ、閉じられているときには載置面を覆うプラテンカバーと、載置面に対して垂直な方向である上下方向の上方から載置面上に載置された原稿を押え付ける補助押え部材と、プラテンカバーが閉じられるときにプラテンカバーの動きに連動して補助押え部材を上下方向の下方に押圧する押圧機構と、を備える。
【００１０】
本発明の構成では、補助押え部材を用いることにより、プラテンガラスの載置面上に載置した原稿を上方から押え付けることができるので、プラテンカバーを閉じるときに発生する風圧でプラテンガラス上の原稿の載置位置が初期位置からずれる（プラテンガラス上の原稿が浮き上がる）のを抑制することができる。ここで、プラテンカバーを閉じるときに発生する風圧はプラテンカバーが完全に閉まる直前に最も大きくなり易い。そこで、プラテンカバーが閉じられるときにプラテンカバーの動きに連動して補助押え部材を下方に押圧する押圧機構が設けられる。これにより、プラテンカバーを閉じていくと、プラテンガラス上の原稿に対する補助押え部材の押圧力が大きくなっていくので、プラテンカバーが完全に閉まる直前に大きい風圧がプラテンガラス上の原稿に加わっても、プラテンガラス上の原稿の載置位置が初期位置からずれるのを抑制することができる。
【発明の効果】
【００１１】
本発明の構成では、プラテンガラス上での原稿の位置ずれを抑制することができる。
【図面の簡単な説明】
【００１２】
【図１】本発明の一実施形態による画像読取装置の構成を示す図
【図２】本発明の一実施形態による画像読取装置のプラテンカバーの構成を示す図
【図３】本発明の一実施形態による画像読取装置のプラテンガラスの載置面上の領域に補助押え部材が配置されている状態を示す図
【図４】本発明の一実施形態による画像読取装置のプラテンガラスの載置面上の領域外に補助押え部材が配置されている状態を示す図
【図５】本発明の一実施形態による画像読取装置の補助押え部材の支持構造を示す図
【図６】本発明の一実施形態による画像読取装置の筺体の枠部に形成された切欠きの形成位置を示す図
【図７】本発明の一実施形態による画像読取装置の押圧機構を示す図
【図８】本発明の一実施形態による画像読装装置のプラテンカバーの開閉検知について説明するための図
【図９】本発明の一実施形態による画像読取装置のプラテンガラスの載置面上に載置された原稿の角が基準位置に合わされていない状態の図
【発明を実施するための形態】
【００１３】
図１に示すように、本実施形態の画像読取装置１００は、プラテンガラス１を備える。プラテンガラス１は、四角形状の載置面ＰＳを有する。読取対象の原稿Ｄは、載置面ＰＳ上に載置される。載置面ＰＳに対して垂直な方向は、画像読取装置１００の上下方向と一致する。以下の説明では、載置面ＰＳに対して垂直な方向を上下方向と称する。
【００１４】
プラテンガラス１は、画像読取装置１００の筺体２に設置される。筐体２は、樹脂製の枠部２１を有する。プラテンガラス１が筐体２に設置された状態では、載置面ＰＳが枠部２１に囲まれる。すなわち、載置面ＰＳは枠部２１の開口から露出する。
【００１５】
筺体２の内部（プラテンガラス１の下方）には、原稿Ｄを光学的に読み取るための光学系部材が設置される。光学系部材は、光源１０１、イメージセンサー１０２、ミラー１０３およびレンズ１０４を含む。
【００１６】
光源１０１は、複数のＬＥＤ素子（図示せず）を有する。複数のＬＥＤ素子は、主走査方向（図１の紙面に対して垂直な方向）にライン状に配列される。光源１０１は、読取対象の原稿Ｄに向けて光を照射する。原稿Ｄで反射された反射光は、ミラー１０３で反射され、レンズ１０４に導かれる。レンズ１０４は、反射光を集光する。
【００１７】
イメージセンサー１０２は、原稿Ｄからの反射光（レンズ１０４で集光された光）を受光し原稿Ｄをライン単位で読み取る。イメージセンサー１０２は、主走査方向にライン状に並ぶ複数の光電変換素子を有するＣＣＤからなり、反射光を受光すると、ライン単位で画素毎に光電変換して電荷を蓄積する。そして、イメージセンサー１０２は、蓄積電荷に応じたアナログ信号を出力する。
【００１８】
光源１０１およびミラー１０３は、主走査方向と直交する副走査方向に移動可能な移動枠１０５に装着される。移動枠１０５は、ワイヤー１０６に連結される。ワイヤー１０６は、巻取ドラム１０７に巻回される。巻取ドラム１０７が回転することにより、移動枠１０５が副走査方向に移動する。すなわち、光源１０１およびミラー１０３が副走査方向に移動する。
【００１９】
原稿Ｄの読み取り時、移動枠１０５は副走査方向（画像読取装置１００の正面から見て左から右に向かう方向）に移動する。そして、移動枠１０５が副走査方向に移動しているとき、光源１０１が光を照射する。また、原稿Ｄで反射された反射光の光電変換をイメージセンサー１０２が連続して繰り返し行う。これにより、原稿Ｄの読み取りがライン単位で行われる。
【００２０】
また、図２に示すように、筐体２には、プラテンカバー３が開閉可能に設置される。具体的には、筐体２の背面側にカバー用回転軸３ａが設置される。プラテンカバー３は、カバー用回転軸３ａに回動可能（開閉可能）に支持され、カバー用回転軸３ａを支点として回動する。すなわち、プラテンカバー３は、正面側の部分を自由端とし、正面側の部分を上下方向に振るように回動する。
【００２１】
プラテンカバー３が開けられると、載置面ＰＳが露出し、載置面ＰＳ上への原稿Ｄの載置が可能な状態となる（図２上図参照）。プラテンカバー３が閉じられると、プラテンカバー３によって載置面ＰＳが覆われた状態となる（図２下図参照）。したがって、載置面ＰＳ上に原稿Ｄを載置するとき、ユーザーはプラテンカバー３を開ける。そして、載置面ＰＳ上への原稿Ｄの載置後、ユーザーはプラテンカバー３を閉じる。プラテンカバー３が閉じられることにより、プラテンカバー３によって載置面ＰＳ上の原稿Ｄが押え付けられる。
【００２２】
ここで、プラテンカバー３を閉じるとき、載置面ＰＳ上の原稿Ｄが風圧を受ける。そして、場合によっては、載置面ＰＳ上の原稿Ｄが動く（たとえば、原稿Ｄが浮き上がる）。その結果、載置面ＰＳ上での原稿Ｄの位置がずれた状態で、原稿Ｄの読み取りが行われるという不都合が生じ得る。
【００２３】
そこで、図３および図４に示すように、画像読取装置１００には、プラテンカバー３とは別に、載置面ＰＳ上の原稿Ｄを載置面ＰＳの上方から補助的に押え付けるための補助押え部材４が設けられる。載置面ＰＳ上の原稿Ｄを補助押え部材４で押え付け、その状態でプラテンカバー３を閉じることにより、原稿Ｄに風圧が加わっても、原稿Ｄの移動を抑制することができる。
【００２４】
補助押え部材４は、樹脂製の板材からなる。また、補助押え部材４は、上下方向を軸方向とする軸４ａ周りに回動可能に支持される。そして、押え部材４は、軸４ａ周りに回動することにより、載置面ＰＳ上の領域と載置面ＰＳ上の領域外とに選択配置される。載置面ＰＳ上の領域は、上方から見て載置面ＰＳと重なる領域であり、枠部２１の開口の内側の領域である。一方で、上方から見て載置面ＰＳと重ならない領域、すなわち、枠部２１の開口の外側の領域は、載置面ＰＳ上の領域外である。載置面ＰＳ上の領域に配置されている補助押え部材４を図３に示す。載置面ＰＳ上の領域外に配置されている補助押え部材４を図４に示す。図３および図４では、紙面に対して垂直な方向が上下方向となる。
【００２５】
なお、補助押え部材４の設置数は特に限定されない。補助押え部材４の設置数が１つでもよいし、補助押え部材４の設置数が複数でもよい。図３および図４では、補助押え部材４の設置数が１つである場合を図示する。
【００２６】
また、補助押え部材４を回動可能に支持する支持位置も特に限定されない。ここで、通常では、載置面ＰＳ上に原稿Ｄを載置するとき、ユーザーは原稿Ｄの４角の１つを載置面ＰＳの予め定められた基準位置ＲＰに合わせる（図３参照）。一般的には、載置面ＰＳの４角のうち左上の角が基準位置ＲＰに設定される。
【００２７】
このため、載置面ＰＳ上の領域のうち左上領域（基準位置ＲＰを含む領域）に補助押え部材４を配置することが可能な位置が補助押え部材４の支持位置とされる。補助押え部材４の設置数が複数である場合には、いずれかの補助押え部材４が載置面ＰＳ上の左上領域に配置可能となっていればよい。これにより、基準位置ＲＰに角が合わされた原稿Ｄを補助押え部材４で押え付けることができる。
【００２８】
補助押え部材４を回動可能に支持するため、図５に示すように、画像読取装置１００には、樹脂製（たとえば、補助押え部材４と同じ材料）の支持部材５が設けられる。たとえば、補助押え部材４には、上下方向を軸方向とする回動軸が設けられ、支持部材５には、上下方向を軸方向とする軸受が設けられる。そして、補助押え部材４の回動軸が支持部材５の軸受に嵌め込まれる。これにより、補助押え部材４を回動可能に支持することができる。なお、補助押え部材４に軸受を設け、支持部材５に回転軸を設けてもよい。
【００２９】
補助押え部材４と支持部材５との連結部分ＣＰは載置面ＰＳ上の領域外に配置される。すなわち、支持部材５は、載置面ＰＳ上の領域外において補助押え部材４を回動可能に支持する。これにより、補助押え部材４を回動することにより、補助押え部材４を載置面ＰＳ上の領域に配置することもできるし、補助押え部材４を載置面ＰＳ上の領域外に配置することもできる。
【００３０】
たとえば、載置面ＰＳ上の領域外に配置された補助押え部材４は、枠部２１の下方に入り込んだ状態となる。この構成では、載置面ＰＳ上の領域外（枠部２１の下方）に配置された補助押え部材４を載置面ＰＳ上の領域に引き出す際の作業性を向上させるため、図６に示すように、載置面ＰＳ上の領域外に配置された補助押え部材４の一部を露出させるための切欠き２１ａを枠部２１に形成しておくのが好ましい。これにより、補助押え部材４が枠部２１の下方に入り込んだ状態であっても、ユーザーは枠部２１の切欠き２１ａを介して補助押え部材４に触れることができる（図６上図参照）。その結果、容易に、補助押え部材４を載置面ＰＳ上の領域に向けて回動させることができる（図６下図参照）。
【００３１】
また、図７に示すように、画像読取装置１００には、支持部材５を下方に押圧するための押圧機構６が設けられる。押圧機構６は、可動部材６１、第１圧縮バネ６２および第２圧縮バネ６３を含む。第１圧縮バネ６２は「第１弾性部材」に相当し、第２圧縮バネ６３は「第２弾性部材」に相当する。
【００３２】
可動部材６１は、上下方向に移動可能に支持される。可動部材６１は、枠部２１に設けられたガイド穴２１ｂに嵌め込まれる。第１圧縮バネ６２は、可動部材６１の下方に配置される。第１圧縮バネ６２の上端は、可動部材６１に当接する。第２圧縮バネ６３は、第１圧縮バネ６２の下方に配置される。第２圧縮バネ６２の下端は、バネ支持部材６４に当接する。バネ支持部材６４は、筐体２の内部フレーム（図示せず）に固定される。
【００３３】
また、支持部材５は、受け部５ａを有する。第１圧縮バネ６２の下端は、支持部材５の受け部５ａの上面に当接する。第２圧縮バネ６３の上端は、支持部材５の受け部５ａの下面に当接する。すなわち、支持部材５の受け部５ａは、第１圧縮バネ６２と第２圧縮バネ６３とに挟まれ、第１圧縮バネ６２および第２圧縮バネ６３から弾性力を受ける。
【００３４】
図７上図に示すように、プラテンカバー３が開けられているとき（プラテンカバー３と可動部材６１とが当接していないとき）、可動部材６１は、第１圧縮バネ６２により上方に押圧され、載置面ＰＳよりも上方に突出する。また、支持部材５は、第２圧縮バネ６３により上方に押圧される。言い換えると、第２圧縮バネ６３は、支持部材５を介して間接的に、補助押え部材４を上方に押圧する。
【００３５】
また、図７下図に示すように、プラテンカバー３が閉じられるとき、可動部材６１は、プラテンカバー３により下方に押圧され、下方に移動する。これにより、第１圧縮バネ６２は、可動部材６１により下方に押圧される。また、支持部材５は、第１圧縮バネ６２により下方に押圧される。言い換えると、第１圧縮バネ６２は、支持部材５を介して間接的に、補助押え部材４を下方に押圧する。プラテンカバー３を閉じていくに従って（プラテンカバー３の載置面ＰＳに対する傾斜角度が小さくなるに従って）、補助押え部材４の原稿Ｄに対する押圧力が大きくなっていく。
【００３６】
ここで、図８に示すように、可動部材６１には検知片６５が一体的に設けられる。プラテンカバー３が開閉されると、検知片６５は可動部材６１と共に上下方向に移動する。検知片６５の移動経路には光センサー７が設けられる。光センサー７は、発光部および受光部を有する。光センサー７は「開閉センサー」に相当する。
【００３７】
プラテンカバー３が開けられているとき（図８上図参照）、検知片６５は光センサー７の光路（発光部と受光部との間の領域）を遮らない。プラテンカバー３を閉じていくと、可動部材６１がプラテンカバー３に当接して下方に押し込まれ、検知片６５が下方に移動する。そして、プラテンカバー３の傾斜角度（載置面ＰＳとの間の角度）が所定角度になるまでプラテンカバー３が閉じられたとき（図８下図参照）、検知片６５が光センサー７の光路を遮る。その後、プラテンカバー３が完全に閉じられると、可動部材６１はプラテンカバー３によってさらに下方に押し込まれるが、光センサー７の光路は検知片６５によって遮られたままである。
【００３８】
この構成では、光センサー７は、プラテンカバー３が開けられているときと閉じられているときとで出力値を変化させる。すなわち、光センサー７は、検知片６５を検知対象とし、プラテンカバー３の開閉状態に応じた値を出力する。これにより、光センサー７の出力値に基づき、プラテンカバー３の開閉を検知することができる。
【００３９】
本実施形態の画像読取装置１００は、上記のように、読取対象の原稿Ｄが載置される載置面ＰＳを有するプラテンガラス１と、開閉可能に支持され、開けられているときには載置面ＰＳを露出させ、閉じられているときには載置面ＰＳを覆うプラテンカバー３と、載置面ＰＳ上に載置された原稿Ｄを上方から押え付ける補助押え部材４と、プラテンカバー３が閉じられるときにプラテンカバー３の動きに連動して補助押え部材４を下方に押圧する押圧機構６と、を備える。
【００４０】
本実施形態の構成では、補助押え部材４を用いることにより、プラテンガラス１の載置面ＰＳ上に載置した原稿Ｄを上方から押え付けることができるので、プラテンカバー３を閉じるときに発生する風圧でプラテンガラス１上の原稿Ｄの載置位置が初期位置からずれる（プラテンガラス１上の原稿Ｄが浮き上がる）のを抑制することができる。ここで、プラテンカバー３を閉じるときに発生する風圧はプラテンカバー３が完全に閉まる直前に最も大きくなり易い。そこで、プラテンカバー３が閉じられるときにプラテンカバー３の動きに連動して補助押え部材４を下方に押圧する押圧機構６が設けられる。これにより、プラテンカバー３を閉じていくと、プラテンガラス１上の原稿Ｄに対する補助押え部材４の押圧力が大きくなっていくので、プラテンカバー３が完全に閉まる直前に大きい風圧がプラテンガラス１上の原稿Ｄに加わっても、プラテンガラス１上の原稿Ｄの載置位置が初期位置からずれるのを抑制することができる。
【００４１】
また、本実施形態では、上記のように、補助押え部材４は、載置面ＰＳ上の領域外において支持部材５によって支持される。押圧機構６は、プラテンカバー３が開けられているときには載置面ＰＳよりも上方に突出し、プラテンカバー３が閉じられるときにプラテンカバー３によって下方に押圧されて下方に移動する可動部材６１と、可動部材６１の下方に配置され、プラテンカバー３が閉じられるときに可動部材６１によって下方に押圧される第１圧縮バネ６２と、を備える。支持部材５は、第１圧縮バネ６２の下方に配置された部分であり第１圧縮バネ６２から弾性力を受ける部分である受け部５ａを有する。この構成では、プラテンカバー３が閉じられていくと、第１圧縮バネ６２による支持部材５に対する下方への押圧力が大きくなっていく。ここで、支持部材５は補助押え部材４に連結されているので、支持部材５に対する下方への押圧力が大きくなっていくと、プラテンガラス１上の原稿Ｄに対する補助押え部材４の押圧力も大きくなっていく。これにより、容易に、プラテンカバー３が完全に閉まるとき（プラテンガラス１上の原稿Ｄに大きい風圧が加わるとき）、プラテンガラス１上の原稿Ｄに対する補助押え部材４の押圧力をより大きくすることができる。
【００４２】
また、本実施形態では、上記のように、第１圧縮バネ６２の下方に第２圧縮バネ６３が設けられる。そして、支持部材５の受け部５ａは、第１圧縮バネ６２と第２圧縮バネ６３とに挟まれる。この構成では、プラテンカバー３が開けられているとき、第２圧縮バネ６３の弾性力により、支持部材５が上方に押圧される。すなわち、プラテンガラス１上の原稿Ｄに対する補助押え部材４の押圧力が小さくなる。これにより、プラテンガラス１上の原稿Ｄの配置位置を容易に微調整することができる（プラテンガラス１上の原稿Ｄを容易に動かすことができる）。なお、プラテンガラス１上の原稿Ｄに対する補助押え部材４の押圧力はプラテンカバー３を開けていくに従って徐々に小さくなっていくので、プラテンカバー３を完全に開き切らなくても、プラテンガラス１上の原稿Ｄの配置位置を微調整することができる。
【００４３】
また、本実施形態では、上記のように、支持部材５は、載置面ＰＳ上の領域外において上下方向を軸方向とする軸４ａ周りに補助押え部材４を回動可能に支持する。そして、補助押え部材４は、軸４ａ周りに回動することにより、載置面ＰＳ上の領域と載置面ＰＳ上の領域外とに選択配置される。この構成では、補助押え部材４を使用しないとき、補助押え部材４を載置面ＰＳ上の領域外に配置することができる。たとえば、読取対象の原稿Ｄが書籍である場合には、補助押え部材４は不要である。この場合、載置面ＰＳ上の領域に補助押え部材４が配置されていると、補助押え部材４が邪魔になる。したがって、補助押え部材４を載置面ＰＳ上の領域と載置面ＰＳ上の領域外とに選択配置可能に構成することにより、ユーザーの利便性が向上する。
【００４４】
なお、図９に示すように、ユーザーによっては、読取対象の原稿Ｄの角を基準位置ＲＰに合わせない場合がある。このような場合であっても、補助押え部材４は回動可能であるので、補助押え部材４で原稿Ｄを押え付けることができる。
【００４５】
また、本実施形態では、上記のように、補助押え部材４は、載置面ＰＳ上の領域外に配置されているとき、枠部２１の下方に入り込む。この構成では、補助押え部材４を設けても、見栄えが悪くならない。
【００４６】
また、本実施形態では、上記のように、可動部材６１と共に上下方向に移動する検知片６５が可動部材６１に設けられる。また、検知片６５を検知対象とする光センサー７がプラテンカバー３の開閉を検知するための開閉センサーとして設けられる。この構成では、プラテンカバー３の開閉を検知するための機構を別途設けなくても（可動部材６１に検知片６５を設けるだけで）、プラテンカバー３の開閉に応じて光センサー７の出力値を変化させることができる（プラテンカバー３の開閉を検知することができる）。
【００４７】
なお、変形例として、枠部２１の一部を他の部分から分割し、当該分割した部分を補助押え部材４として機能させてもよい。
【００４８】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００４９】
１  プラテンガラス
２  筐体
３  プラテンカバー
４  補助押え部材
４ａ  軸
５  支持部材
５ａ  受け部
６  押圧機構
７  光センサー（開閉センサー）
２１  枠部
６１  可動部材
６２  第１圧縮バネ（第１弾性部材）
６３  第２圧縮バネ（第２弾性部材）
６５  検知片
１００  画像読取装置
Ｄ  原稿
ＰＳ  載置面
【図１】
2020010194.tif 000003
【図２】
2020010194.tif 000004
【図３】
2020010194.tif 000005
【図４】
2020010194.tif 000006
【図５】
2020010194.tif 000007
【図６】
2020010194.tif 000008
【図７】
2020010194.tif 000009
【図８】
2020010194.tif 000010
【図９】
2020010194.tif 000011